(57)【特許請求の範囲】
【請求項１】
特定の位置から当該特定の位置より低い位置に液体を滴下する液滴パイプにおいて、
前記特定の位置に配置された容器に充填された液に液導入口が浸漬され、前記液の高さ位置より低い位置の液滴下位置に液導出口が配置され、サイフォン効果で前記容器から液滴下位置に液を導く細管と、
当該細管の全体もしくは少なくとも液導入口側と液導出口側の一部に挿通され、表面張力で液導出口からの空気の噛みこみを防止する毛細糸と
を備えたことを特徴とする液滴パイプ。
【請求項２】
液導出口側に液量調整器を備えた請求項１に記載の液滴パイプ。
【発明の詳細な説明】
【技術分野】
【０００１】
本発明は、液滴器具に関するものである。
【背景技術】
【０００２】
プールの水、商業ビル、マンション等の屋上に設置されている貯水槽に溜められた水は、気温が高いと殺菌目的に混入してある次亜塩素酸ソーダが、時間経過とともに抜け、それを補う必要がある。
センサー、モータ、ポンプを組み合わせ、電池あるいは商用電源で制御装置を動かして、上記次亜塩素酸ソーダを僅かずつ滴下する仕組みは、今日の技術からすれば当然可能である。
【０００３】
医療用の点滴器具は、液容器を高い位置に保持して、重力で液をパイプに沿って流しながら、パイプの先端側に設けた、液量の調整器具で滴下量を調整するようになっている。この構成であると、少量ずつの液の滴下とうい要請に、ある程度対応することはできる。
【０００４】
より簡単には、液源から細い可撓性のパイプを利用して、サイフォンの原理で、液面より低い位置に液を導くことも可能である。
【先行技術文献】
【特許文献】
【０００５】
なし
【発明の概要】
【発明が解決しようとする課題】
【０００６】
上記制御装置を使用する方法は、精度を上げれば上げるほどコストを要することになり、コストの増加を嫌う公共施設、学校プール、小規模入水槽等には不向きである。特に、ここで必要な滴下量は、夏場の温度の高いときで、例えば１日に数ｃｃ以下といった非常に少量であるため、この少量を制御する装置は思いのほかコスト高となる。
【０００７】
医療用の点滴器具は、制御可能な滴下量が、上記貯水層に必要な次亜塩素酸の量に比して比較的多く、上記１日に数ｃｃ以下と言った量の制御はできない。加えて、液容器を身体の上の位置に吊り下げるためにスタンドが必要になり、これを本来の目的である、医療用に用いるときには患者が移動したときにはスタンドごとの移動を余儀なくされ、甚だ扱いが煩わしかった。
【０００８】
サイフォンの原理を利用して、パイプ径を細くすることが考えられるが、サイフォンは流れ出る液が途切れない状態であれば、有効に機能するが、ここでの目的とする制御量は、１日に多くても数ｃｃを滴下する状況であり、液の流れは間歇的な雫とならざるを得ない。すなわち、雫の落下と次の雫の落下の間に、パイプ中の液の流れが止まることになり、このときに、先端部から空気がいりこんで、サイフォンとしての機能がなくなることになる。
【０００９】
本発明は、上記従来の事情に鑑みて提案されたものであって、簡単な構造で、極微量の液の滴下ができる液滴器具を提案するものである。
【課題を解決するための手段】
【００１０】
本発明は、特定の位置から当該特定の位置より低い位置に液体を滴下する液滴パイプに適用されるものである。細管は、前記特定の位置に配置された容器に充填された液に液導入口が浸漬され、前記液の高さ位置より低い位置の液滴下位置に液導出口が配置され、サイフォン効果で前記容器から液滴下位置に液を導く。毛細糸が、前記細管の全体もしくは少なくとも液導入口側と液導出口側の一部に挿通され、表面張力で液導出口からの空気の噛みこみを防止するようになっている。
【００１１】
毛細糸は、細管の全長に渡って挿通してもよいし、部分的であってもよいが、少なくとも液容器の液面から容器の上端までの液導入部、および、液の出口（液導出部）には必要である。更に、流れ出る液量を調整する必要があるときは、細管の液導出側に液量調整具を設けることができる。尚、細管は可撓性があるほうが扱いが便利である。
【発明の効果】
【００１２】
上記構成によって、細管の一方の先端を、液容器に充填した液に浸漬し、他方の先端を、容器の上端を介して液面より下に位置させることによって、サイフォン効果が働くようにする。さらに、前記毛細糸の作用によって、毛細糸と毛細糸の間に表面張力の作用によって一旦細管内に侵入した液を管内に保持することができるようにする。これによって、雫状態で液を滴下しても細管内に空気がかみこむことはなく、極微量の液を長時間に渡って滴下することができる。
【図面の簡単な説明】
【００１３】
【図１】本発明の１実施例を示す斜視図。
【図２】本発明の他の１実施例を示す斜視図。
【図３】本発明にしようする流量調整器の平面図。
【図４】図３のA-A断面図。
【図５】本発明を医療用の点滴に利用した状態を示す図。
【発明を実施するための形態】
【００１４】
図１は本発明の液滴パイプの１例を示す斜視図である。
【００１５】
細管１に合成樹脂の毛細糸２が多数本挿通されている。前記細管１は内径３ｍｍ程度あるいはそれ以下の細さであって、可撓性であることがのぞましい。前記複数の毛細糸２の総断面積は、可撓性の細管１の断面積と同じにする必要はなく、細管１の断面積の１／１０程度以上であれば足りる。
【００１６】
ただし、前記多数の毛細糸２は、その長手方向が、細管１の長手方向と一致するように細管１に、相互に拘束されない（束ねられてきつくしばられた状態ではない）状態で挿通される。これにより、細管１の中で各毛細糸２間に隙間が形成されるが、この隙間は各毛細糸２間で液の表面張力が働く程度にするのがこのましい。個々の毛細糸２の径は特には問われないが、ミクロンオーダあるいはナノオーダの径の細い、天然あるいは合成樹脂性の糸を多数用いる方が効果が大きい。
【００１７】
また、多数の毛細糸２は、細管１の端部と略同じにそろえるか、あるいは若干細管１の外に出る程度が望ましい。
【００１８】
上記のように構成した液滴パイプの一端を液容器１０の液中に浸漬し、他端を滴下目的位置３０の上に位置させ、サイフォンの原理を利用して目的の液を目的の場所に滴下することができるようになっている。ここでは、上記細管１のサイフォン効果を利用するので、滴下目的位置３０は液容器１０の液面より低い位置になければならない。一方で、液容器１０には目的とする液２０が充填されているが、その液面は、当然のことながら液容器１０の上端より低い。従って、液滴パイプは、前記細管１の液導入口が液容器１０の液に浸漬され、この位置から、一旦液容器１０の上端まで上昇し、次いで滴加目的位置３０まで下降することになる。また、細管１を容器内の液に浸漬するだけでは、サイフォンとしては機能しないので、初期的には連通効果を得るに必要な呼び水を細管１に導入しておく必要がある。
【００１９】
本発明は、サイフォンの原理を利用しているが、サイフォンは液が連続して流れることを条件として機能するものであり、本発明に使用したような細い管を使用した場合には、液の表面張力が管壁に作用して、液の流れが途切れる現象が発生する。一旦液の流れが途切れると、先端から空気を噛みこんで、それ以上機能しなくなる。そこで、本発明は、細管１に多数の毛細糸２を挿通している。
【００２０】
これによって、前記毛細糸２と毛細糸２との間に表面張力（毛細管現象）が作用して、たとえ、液の流れが止まっても、細管１内に液が充填された状態は維持され、細管内での液の途切れ（空気を噛んだ状態の発生）を防止することになる。
【００２１】
前記多数の毛細糸２は、図１に示したように細管１の全体に挿通してもよいし、図２（後述）に示すように、細管１の液導入部と先端部（液導出部）に設け、中間部は省略することでもよい。また、上記図１に示した例は、液導入口から供給される液量が、そのまま、液導出口側に流れでることになり、液量の調整はされていないが、液量を調節する必要がある場合は、以下の図２に説明する流量調整器具を用いる。
【００２２】
図２は本発明の液滴パイプの他の１例を示す斜視図である。
【００２３】
毛細糸２は、液面から液容器１０の上端に至って下降経路に差し掛かるまで細管１に充填されている。前記導入口側の毛細糸２が途切れた先に、バッファ４が設けられ、更に、細管１の先端部（液導出部）にも同様に毛細糸２が多数充填され、この部分には以下に説明するように、流量調整器５が設けられている。
【００２４】
前記バッファ４は、以下に説明する流量調整器５で、流量が制御されて管内に過剰になったときの受けになる。
【００２５】
図３は流量調整器の構成を示すものであり、図４は、図３のA-A断面図である。
【００２６】
所定の厚みを持った長方形の合成樹脂片の厚み面の長手方向にテーパ溝５１が設けられ、当該テーパ溝５１に沿って表裏（厚み方向両壁）のスライド溝５２が前記樹脂片５の長手方向に平行に設けられる。この表裏のスライド溝に対して軸５４が渡され、当該軸５４に、下端が上記スライド溝５１に突出する円形の押さえ片５３が保持される。
【００２７】
この流量調整器５の前記テーパ溝５１の底面と押さえ片５３との間の空間に、前記可撓性の細管１が挿通される。このとき、テーパ溝５１のもっとも深い部分の位置まで押さえ片５３を移動させた状態では、押さえ片５３は細管１に接することなく、細管１の径は最大となり、テーパ溝５１が浅くなる方向に押さえ片５３を移動させると、押さえ片とテーパ溝５１の底面との間の間隔が次第に小さくなり、細管１の径もそれに伴って小さくなる。
【００２８】
上記のように抑え片５３で可撓性の細管１を抑えるようにすると、細管１の中には、毛細糸２が多数挿通されているので、この多数の毛細糸２の間隔も、次第に狭くなり流れる液量も小さくなる。逆に、テーパ溝５１が深くなる方向に抑え片５３を移動させると、前記したように、細管１の径は次第に大きくなり、流量は増えることになる。
【００２９】
上記において流量が液導出口での流量がちいさくなると、管内で余剰になった液は、バッファに蓄積され、液の流れをスムーズにすることになる。
【００３０】
上記のように液量調整装置５を液導出側に設けることによって、滴下する液量を例えば１日に数cc以下に調整することが可能となり、貯水タンクやプールの次亜塩素酸ソーダの調節に用いることができることになる。
【００３１】
図５は、本発明の液滴パイプを医療用の滴定装置に用いた場合を示すものである。従来の点滴装置では、薬液の落下を途切れさせないようにする必要上、吊り下げられた薬液容器の底側から、薬液を落下するようにしている。従って、薬液容器を吊り下げるためのスタンドを必要とする。ところが本願発明では、薬液容器を患者の点滴部位より高い位置に保持されれば、薬液容器を高い位置で吊り下げる必要はなく、例えば図５に示すように、手で胸の位置に薬液容器１０を持った状態で移動してもかまわない。
【００３２】
本発明は、上記の他、微細な液量の調整が必要な場面、例えば松喰い虫の薬液を必要な箇所に供給する場合、水耕栽培の水に液肥を供給する場合、あるいは簾等に水滴を滴下して涼を得る場合等に利用することができる。
【産業上の利用可能性】
【００３３】
上記したように本発明は、サイフォン効果を利用しながら、目的の位置に雫状態で液をたらすことができるので、微量の薬液や消毒液を必要とする箇所に、制御装置や動力なしに供給することができるので、産業状の利用可能性が大きい。
【符号の説明】
【００３４】
１  細管
２  毛細糸
４  バッファ
５  流量調整器
１０  液容器  
２０滴下目的位置
【図１】
0005635045.tif 000002
【図２】
0005635045.tif 000003
【図３】
0005635045.tif 000004
【図４】
0005635045.tif 000005
【図５】
0005635045.tif 000006